(57)【要約】【課題】防振機能の付与が充分に得られ、画像ぶれによる大きな画質低下の虞のないカメラ装置を提供すること。【解決手段】防振用ベース６にダンパ部材５を介してカメラベース４を保持させ、このカメラベース４に撮像レンズ部２が装着されたカメラ本体３を取り付けるようにしたカメラ装置において、撮像レンズ部２の鏡筒部分にネジ１３により固定されるリング部材１０を設け、このリング部材１０に取り付けられているリング保持部１１をショックアブソーバ９により支柱８に保持させることにより、撮像レンズ部２がショックアブソーバ９を介して防振用ベース６に保持されるようにしたもの。【選択図】図１
2010204293.tif 000002
【特許請求の範囲】
【請求項１】
ケース内に防振用ベースを配置し、前記防振用ベースにダンパ部材を介してカメラベースを保持させ、前記カメラベースにレンズが装着されたカメラ本体を取り付けるようにしたカメラ装置において、
前記レンズの鏡筒部分に挿通し当該レンズに固定されるリング部材と、
前記リング部材の外周から径方向に突出した状態で当該リング部材に取り付けられているリング保持部と、
前記リング保持部に連接させたショックアブソーバとを設け、
前記ショックアブソーバを前記防振用ベースに保持させるように構成したことを特徴とするカメラ装置。
【発明の詳細な説明】
【技術分野】
【０００１】
本発明は、防振機能を備え保護用のケースに収納して使用されるテレビジョンカメラ装置に係り、特に、交通量の多い道路など振動が多い場所での監視用に好適なカメラ装置に関する。
【背景技術】
【０００２】
近年、テレビジョン装置による監視システムの普及は目覚ましく、特に最近では、犯罪の抑止に大きく役立つシステムとしての評価が高まり、従って、監視システム用カメラの設置場所も多岐にわたり、この結果、かなり劣悪な環境のもとでも確実に機能するカメラ(テレビジョンカメラ)が要望されている。
そして、このときに必要な性能の一つに、カメラに振動が加えられたときでも安定した撮像が可能であるという、いわゆる防振機能の充実があり、このため、従来から種々の防振装置が提案されている。
【０００３】
また、このとき、防塵性や防湿性の見地から、更には屋外での設置に備えて防水性の見地から、それぞれの機能に適合させたケースにカメラを収納して使用するのが一般的であり、この場合、防振装置はケース内に設けられる場合が多い。
そこで、このようなケース内に防振装置を備えた従来技術によるカメラ装置の一例について、図５と図６により説明する。
【０００４】
これら図５と図６において、１はケース、２は撮像レンズ部、３はカメラ本体、４はカメラベース、５はダンパ部材、６は防振用ベース、そして７は固定用のスペーサブロックである。なお、図５は側面図で図６は正面図であり、このときケース１は断面で表わされている。
【０００５】
ここで、まず、ケース１は、上記した防塵、防湿、防滴、耐水などに適応したもので、通常、アルミニウムなどの金属板により開閉可能な箱型に作られ、この中に、撮像レンズ部２が装着されたカメラ本体３を収容し、例えば監視用として使用するようになっている。
このとき撮像レンズ部２は、例えばバヨネットマウントなどの所定のマウント機構によりカメラ本体３に装着されるのが通例である。
【０００６】
ここでカメラ本体３は、例えばカラーＣＣＤ方式のもので、平板状のカメラベース４に取り付けられ、その上で、ダンパ部材５を介して防振用ベース６に保持される。
このときのカメラベース４に対するカメラ本体３の取り付けにはネジ１４を用い、ネジ１４をカメラベース４に設けてある孔を通してカメラ本体３の底部に備えられている取付部にねじ込むことにより行なう。
【０００７】
この後、防振用ベース６を、ケース１の中の底部に、スペーサブロック７を介して取り付けることにより、カメラ本体３が撮像レンズ部２と共にケース１の中に取り付けられることになる。
このとき用いられているダンパ部材５は、市場に一般的に提供されている部材で、例えば天然ゴム材や人工樹脂のゴム材などで作られ、内部摩擦損失が大きく振動減衰効果が高い部材である。なお、バネ(金属製スプリング)部材を用いる場合もあり、併用される場合もある。
【０００８】
そこで、このダンパ部材５をカメラベース４と防振用ベース６の間に介在させることにより、防振用ベース６から与えられる振動を吸収し、カメラベース４から隔離するインシュレータとして機能し、この結果、防振機能を備えたカメラ装置が得られることになる。
【発明の概要】
【発明が解決しようとする課題】
【０００９】
ところで、カメラには、通常、撮像用のレンズが必要であるが、このとき、近年は、高性能のレンズでも比較的廉価に提供されるようになり、この結果、例えば監視用のカメラにも、高性能で高機能のレンズ装置が装着されるようになっているが、この場合、カメラ本体に比較してかなり重いレンズ装置になってしまう。
しかしながら、上記従来技術は、レンズ装置の重量増加に配慮がされているとはいえず、防振機能の充分な付与が困難になるという課題がある。
【００１０】
ここで、図７は、従来技術によるカメラ装置において、矢印(イ)で示すような振動がケース１に加わってしまったときの状態を示したもので、このとき、撮像レンズ部２は、そのマウント機構により、カメラ本体３に対して、カンチレバー(片持梁)状態になって装着されるのが一般的であり、このため、ケース１に加えられた上下方向の振動がダンパ部材５により減衰しきれずに、矢印(ロ)で示すように、カメラ本体３に加えられてしまったとする。
【００１１】
そうすると、この場合、撮像レンズ部２は、一点鎖線で示すように、上下に傾くようにして振動するので仰角が変動してしまうことになる。そして、この仰角の変動は、単純な上下左右への平行移動とは異なり、僅かでも大きな画像ぶれの原因となる。画像ぶれが現れた場合、画質の低下が免れない。
このときダンパ部材５の一般的な特性として、周期が長い振動に対しては防振機能果が低下する。
このため、従来技術では、低周波数領域の振動に対して防振効果が不十分になり、画像ぶれによる画質低下が問題になってしまう。
【００１２】
また、低周波数領域では、ダンパ部材５を含む振動系に共振が発生する場合があり、この場合は、防振機能が喪失してしまうことになり、従って、従来技術では、撮像レンズ部２の仰角変動は更に大きくなって、画像ぶれによる大きな画質低下が避けられない。
従って、従来技術は、防振機能の充分な付与が困難であるという課題をもっているのである。
本発明の目的は、上記従来技術の課題を解決し、防振機能の付与が充分に得られ、画像ぶれによる大きな画質低下の虞のないカメラ装置を提供することにある。
【課題を解決するための手段】
【００１３】
上記の課題を解決するために、本発明は、ケース内に防振用ベースを配置し、前記防振用ベースにダンパ部材を介してカメラベースを保持させ、前記カメラベースにレンズが装着されたカメラ本体を取り付けるようにしたカメラ装置において、前記レンズの鏡筒部分に挿通し当該レンズに固定されるリング部材と、前記リング部材の外周から径方向に突出した状態で当該リング部材に取り付けられているリング保持部と、前記リング保持部に連接させたショックアブソーバとを設け、前記ショックアブソーバを前記防振用ベースに保持させるようにしたことを特徴とする。
【発明の効果】
【００１４】
本発明によれば、撮像レンズ部にリング部材を装着し、このリング部材をショック吸収部材であるショックアブソーバにより保持するようにしたので、カメラ本体が振動した場合でも、撮像レンズ部の仰角変化が抑制でき、従って、画像ぶれによる画質低下の虞が少ないカメラ装置を容易に提供することができる。
【図面の簡単な説明】
【００１５】
【図１】本発明によるカメラ装置の一実施形態を示す斜視図である。
【図２】本発明によるカメラ装置の一実施形態を示す側面図である。
【図３】本発明によるカメラ装置の一実施形態を示す正面図である。
【図４】従来技術によるカメラ装置の一例を示す側面図である。
【図５】従来技術によるカメラ装置の一例を示す正面図である。
【図６】従来技術のカメラ装置における振動の説明図である。
【発明を実施するための形態】
【００１６】
以下、本発明によるカメラ装置について、図示の一実施の形態により詳細に説明する。ここで図１は側面図、図２は正面図、そして図３は斜視図であり、これらの図において、ケース１、撮像レンズ部２、カメラ本体３、カメラベース４、ダンパ部材５、防振用ベース６、スペーサブロック７は、図４と図５で説明した従来技術によるカメラ装置の場合と同じであり、このときケース１が断面で表わされている点も同じであるが、ここで図３ではケース１が除かれている。
【００１７】
そして、これら図１〜図３において、８は支柱、９はショックアブソーバ、１０はリング部材、１１はリング保持部、１２はアブソーバ支持部、そして１３はレンズ固定ネジであり、従って、これらが、この実施形態において、従来技術とは異なった特有のものである。
【００１８】
まず、支柱８は、特に図３から明らかなように、断面形状がＴ字形をした部材で、その一方の端部、つまり図では下側の端部で防振用ベース６にネジ止め固定され、図示のように、撮像レンズ部２の横に縦になって伸びている。このとき、特に図２から明らかなように、カメラベース４を避けるようにして切欠きが形成してあり、カメラベース４に接触しないようになっている。
そして、この支柱８のＴ字形の底部をなしている部分に、所定の間隔をもって上下一対になったアブソーバ支持部１２が設けられている。
【００１９】
次に、リング部材１０は、撮像レンズ部２の径に応じて所定の径に作られ、図示のように、撮像レンズ部２の鏡筒部分に挿通され、その上で、４本のレンズ固定ネジ１３により、撮像レンズ部２に固定され保持されるようになっている。
そして、このリング部材１０には、その外周から径方向に突出するようにして板状のリング保持部１１が取り付けられている。なお、ここでは、図示のように、３本のネジにより取り付けられている。
【００２０】
ここで、いま、リング部材１０を撮像レンズ部２に保持させたとすると、図示のように、リング保持部１１が、上下一対になったアブソーバ支持部１２の間に、丁度、入り込んだ状態になるようにしてある。
このときアブソーバ支持部１２には、各々ショックアブソーバ９が取り付けてあるが、このとき、上側のアブソーバ支持部１２では、ショックアブソーバ９が、その可動部が下側になるようにして取り付けられ、下側のアブソーバ支持部１２においては、ショックアブソーバ９は、その可動部が上になるようにして取り付けられている。
【００２１】
従って、リング保持部１１を上下一対になったアブソーバ支持部１２の間に入れ、各々のショックアブソーバ９の可動部に固定してやれば、組立が完了し、この結果、撮像レンズ部２は、リング部材１０のリング保持部１１を介して各々のショックアブソーバ９の可動部に連結され、更に各々のショックアブソーバ９から各々のアブソーバ支持部１２と支柱８を介して防振用ベース６に保持されていることになり、この場合、撮像レンズ部２は、カメラ本体３の保持系統にあるカメラベース４を介することなく、防振用ベース６に保持されていることになる。
【００２２】
この結果、図５で説明したように、ケース１に加えられた上下方向の振動が低周波数領域の振動であったため、ダンパ部材５により減衰しきれずに、矢印(ロ)で示すように、カメラ本体３に振動が現れてしまったとしても、撮像レンズ部２の振動は、防振用ベース６に保持されているショックアブソーバ９により吸収され減衰されてしまう。
従って、この実施形態によれば、振動による画像ぶれが抑えられ、画質の低下を最小限にすることができる。
【００２３】
また、この結果、ダンパ部材５とカメラベース６を含む振動系に共振が現れてしまった場合でも、この実施形態の場合は、撮像レンズ部２がショックアブソーバ９を介して防振用ベース６に連結されているので、カメラベース６の共振の影響を受ける虞がなく、従って、この場合も振動による画像ぶれが抑えられ、画質の低下を最小限にすることができる。
【００２４】
ここで、上記の実施形態において使用されているショックアブソーバ９は、例えばオイルダンパなどと呼称されている装置を使用すればよく、この場合、その入手は容易であり、従って、この実施形態の場合、コストの面で問題になる虞は殆どなく、合理的なコストで容易に防振機能を備えたカメラ装置を提供することができる。
【符号の説明】
【００２５】
１  ケース(防水型、防滴型などのカメラケース)
２  撮像レンズ部
３  カメラ本体
４  カメラベース
５  ダンパ部材
６  防振用ベース
７  スペーサブロック
８  支柱
９  ショックアブソーバ
１０  リング部材
１１  リング保持部
１２  アブソーバ支持部
１３  レンズ固定ネジ
１４  ネジ(カメラ取付用のネジ)
【図１】
2010204293.tif 000003
【図２】
2010204293.tif 000004
【図３】
2010204293.tif 000005
【図４】
2010204293.tif 000006
【図５】
2010204293.tif 000007
【図６】
2010204293.tif 000008